(57)【要約】【課題】液滴吐出ヘッドにおけるドット抜けを容易かつリアルタイムに検出することを可能とする液滴吐出ヘッド、液滴吐出装置、及び、ノズル基板の製造方法を提供する。【解決手段】本発明に係る液滴吐出ヘッド１００は、導電性を有する液滴を吐出する複数のノズル孔１０、及び、各ノズル孔１０の縁に形成された一対の吐出検出用導通電極１２を有するノズル基板１と、底壁が振動板２３を構成し、ノズル孔１０に連通して液滴を収容する複数のキャビティ１０を有するキャビティ基板２と、個別電極３１を有する電極基板３と、一対の吐出検出用導通電極１２に接続し、これに電圧を印加する吐出検出回路４２と、を有し、ノズル孔１０から吐出される液滴の吐出検出用導通電極１２への接触によって液滴吐出状況の良否を検知可能にしている。【選択図】図２
2010240853.tif 000002
【特許請求の範囲】
【請求項１】
導電性を有する液滴を吐出する複数のノズル孔、及び、前記ノズル孔のそれぞれを中心として各ノズル孔の縁に形成された一対の電極を少なくとも有するノズル基板と、
底壁が振動板を構成し、前記ノズル基板の前記複数のノズル孔に連通して液滴を収容する複数の圧力室を有し、前記ノズル基板に積層されるキャビティ基板と、
前記振動板を駆動する個別電極を有し、前記キャビティ基板に積層される電極基板と、
前記一対の電極に電圧を印加し、前記ノズル孔から吐出される液滴の前記一対の電極への接触状態によって液滴吐出状況の良否を判断する吐出検出回路と、を有する
ことを特徴とする液滴吐出ヘッド。
【請求項２】
前記吐出検出回路は、
前記ノズル孔から液滴が吐出される際の電流の変化を検知して液滴吐出状況の良否を判断する
ことを特徴とする請求項１に記載の液滴吐出ヘッド。
【請求項３】
前記一対の電極が、
前記ノズル孔を中心として対向配置されている
ことを特徴とする請求項１又は２に記載の液滴吐出ヘッド。
【請求項４】
前記ノズル基板がシリコン基板で構成されており、
前記シリコン基板と前記一対の電極とを絶縁している
ことを特徴とする請求項１〜３のいずれか一項に記載の液滴吐出ヘッド。
【請求項５】
前記一対の電極は、
耐擦性及び耐薬品性を有する導電性材料で構成されている
ことを特徴とする請求項１〜４のいずれか一項に記載の液滴吐出ヘッド。
【請求項６】
前記導電性材料は、
Ｐｔ、Ａｕ、Ｍｏ、Ｔａ、これらの合金又はこれらの化合物のいずれかである
ことを特徴とする請求項５に記載の液滴吐出ヘッド。
【請求項７】
前記請求項１〜６のいずれかに記載の液滴吐出ヘッドを搭載した
ことを特徴とする液滴吐出装置。
【請求項８】
シリコン基板にノズル孔となる凹部を形成する工程と、
前記シリコン基板に液滴保護膜を熱酸化により形成する工程と、
前記シリコン基板の凹部形成面にサポート基板を貼り合わせる工程と、
前記シリコン基板の凹部形成面とは反対側面を薄板化し前記凹部を開口する工程と、
前記シリコン基板の薄板化した面及び前記凹部内部に液滴保護膜を形成する工程と、
前記シリコン基板に形成した前記液滴保護膜の上であって開口させた各ノズル孔を中心として前記ノズル孔の対向する縁にスパッタ又は蒸着によって一対の電極を形成する工程と、
前記液滴保護膜及び前記一対の電極の上に撥液膜を形成する工程と、
前記シリコン基板から前記サポート基板を剥離し、前記シリコン基板に形成した前記撥液膜を前記サポート基板を剥離した側から親水化処理する工程と、
前記一対の電極の一部を配線接続のために露出させる工程と、を有する
ことを特徴とするノズル基板の製造方法。
【発明の詳細な説明】
【技術分野】
【０００１】
本発明は、液滴を吐出する複数のノズルを有するノズル基板を有する液滴吐出ヘッド、この液滴吐出ヘッドを備えた液滴吐出装置、及び、そのノズル基板の製造方法に関するものである。
【背景技術】
【０００２】
液滴吐出装置の代表例として、画像記録用のインクジェットヘッドを備えたインクジェット式記録装置がある。インクジェット式記録装置は、印刷時の騒音が比較的小さく、しかも小さなドットを高い密度で形成できるため、昨今においてはカラー印刷を含めた多くの印刷に使用されている。このようなインクジェット式記録装置は、インクカートリッジからのインクの供給を受けるインクジェットヘッドと、記憶媒体をインクジェットヘッドの走査方向と垂直に移動させる紙送り機構を備え、インクジェットヘッドをキャリッジ上で記録媒体の幅方向（主走査方向）に移動させながらインクジェットヘッドに対して機械的圧力や熱エネルギーを発生させることで記録媒体に対してインク滴を吐出させることで記録が行なわれる。
【０００３】
このようなインクジェット式記録装置に用いられるインクジェットヘッドは、一般に、インク滴を吐出するための複数のノズルが形成されたノズル基板と、このノズル基板に接合されノズル基板との間で上記ノズルに連通する圧力室（キャビティ）、リザーバー等のインク流路が形成されたキャビティ基板とを備え、駆動部により圧力室に圧力を加え、圧力室の一部を構成する振動板を変位させることにより、インク滴を、選択されたノズルより吐出するように構成されている。駆動手段としては、静電気力を利用する方式や、圧電素子による圧電方式、発熱素子を利用するバブルジェット（登録商標）方式等がある。
【０００４】
この種のインクジェットヘッドでは、インクジェットヘッドの圧力室内に気泡が発生したり、浮遊する紙粉やゴミなどがノズル近傍に付着したり、ノズル（内のインク）が乾燥したりすると、ノズルからインク滴が吐出されず、記録媒体にドットが形成されないことがある。インク滴の吐出不良を、一般に「ドット抜け」と呼んでいる。ドット抜けの現象が生じた場合には、クリーニング装置によって回復を図る。たとえば、気泡の発生によってドット抜け現象が生じた場合には、ポンプでノズル内のインクを吸引して圧力室内部の気泡を排出し、その後、ワイパーと呼ばれる拭い取り部材で吐出面に付着したインクを拭い去り、更にフラッシングと呼ばれるインク滴の無印字吐出を行って混色したインクを放出する。この一連のクリーニング工程によって、気泡によるドット抜け現象が回復する。
【０００５】
上記のようなドット抜けを検出する方法としては、「複数のノズルからインクを吐出するインクジェットヘッドと、前記ノズルの近傍に設けられた第一の電極および第二の電極と、前記ノズル近傍にインク滴が付着した時に、前記第一の電極と前記第二の電極間の静電容量の変化を検出する静電容量検知手段と、を備えたインクジェット式記録装置」が提案されている（たとえば、特許文献１参照）。この技術は、ヘッド表面のノズル近傍に対向電極を設け、電極間の静電容量変化を検出することでノズル周辺のインク滴残留を検知している。この技術では、クリーニング不良及び吐出中のインク滴付着を対象としてドット抜けを検出している。
【先行技術文献】
【特許文献】
【０００６】
【特許文献１】特開２００７−２３０００８号公報（第５頁、第６頁、図４）
【発明の概要】
【発明が解決しようとする課題】
【０００７】
特許文献１に記載の技術は、インク滴の吐出不良を未然に防ぐ、または、インク滴の吐出不良の発生を早期に発見できるようにしたものである。しかしながら、ヘッド表面のノズル近傍にインク滴が付着しないとインク滴の吐出不良を検出することができない。したがって、特許文献１に記載の技術では、非吐出ノズルの検出、つまりドット抜けの検出には利用することができなかった。また、特許文献１に記載の技術では、インク滴の吐出量の検出にも利用することができなかった。
【０００８】
本発明は、このような点に鑑みなされたもので、液滴吐出ヘッドにおけるドット抜けを容易かつリアルタイムに検出することを可能とする液滴吐出ヘッド、液滴吐出装置、及び、ノズル基板の製造方法を提供することを目的とする。
【課題を解決するための手段】
【０００９】
本発明に係る液滴吐出ヘッドは、導電性を有する液滴を吐出する複数のノズル孔、及び、ノズル孔のそれぞれを中心として各ノズル孔の縁に形成された一対の電極を少なくとも有するノズル基板と、底壁が振動板を構成し、ノズル基板の複数のノズル孔に連通して液滴を収容する複数の圧力室を有し、ノズル基板に積層されるキャビティ基板と、振動板を駆動する個別電極を有し、キャビティ基板に積層される電極基板と、一対の電極に電圧を印加し、ノズル孔から吐出される液滴の一対の電極への接触状態によって液滴吐出状況の良否を判断する吐出検出回路と、を有することを特徴とする。
【００１０】
これにより、液滴がスイッチとして作用することになり、液滴吐出状況を液滴が電極に接触したかどうかにより検知することができる。したがって、液滴吐出動作を中断することなく直接確認することができ、吐出不良ノズルを容易に特定できる。吐出不良ノズルを特定した場合には、別のノズル孔からの吐出液滴により、被対象物の品質を補完することができることになる。
【００１１】
本発明に係る液滴吐出ヘッドは、吐出検出回路は、ノズル孔から液滴が吐出される際の電流の変化を検知して液滴吐出状況の良否を判断することを特徴とする。
これにより、液滴が電極に接触したかどうかにより液滴吐出状況の良否を確実に判断することが可能になる。
【００１２】
本発明に係る液滴吐出ヘッドは、一対の電極が、ノズル孔を中心として対向配置されていることを特徴とする。
これにより、ノズル孔から液滴が吐出される際に、液滴が確実に電極に接触することになり、この接触の有無によって液滴吐出状況の良否を容易に判断することができる。
【００１３】
本発明に係る液滴吐出ヘッドは、ノズル基板がシリコン基板で構成されており、シリコン基板と電極とを絶縁していることを特徴とする。
これにより、液滴と電極とで構成される回路がシリコン基板から影響を受けることがなくなる。したがって、液滴が電極に接触したかどうかを確実に検知することが可能になる。
【００１４】
本発明に係る液滴吐出ヘッドは、電極は、耐擦性及び耐薬品性を有する導電性材料で構成されていることを特徴とする。
これにより、実用上、電圧制御しやすく、また、電極の耐久性を確保でき、長期間の使用に渡って信頼性を確保することができる。
【００１５】
また、本発明に係る液滴吐出ヘッドは、導電性材料は、Ｐｔ、Ａｕ、Ｍｏ、Ｔａ、これらの合金又はこれらの化合物のいずれかであることを特徴とする。
【００１６】
本発明に係る液滴吐出装置は、上記の液滴吐出ヘッドを搭載したことを特徴とする。
したがって、液滴吐出装置は、上述の液滴吐出ヘッドが有している効果と同じ効果を有している。
【００１７】
本発明に係るノズル基板の製造方法は、シリコン基板にノズル孔となる凹部を形成する工程と、シリコン基板に液滴保護膜を熱酸化により形成する工程と、シリコン基板の凹部形成面にサポート基板を貼り合わせる工程と、シリコン基板の凹部形成面とは反対側面を薄板化し凹部を開口する工程と、シリコン基板の薄板化した面及び凹部内部に液滴保護膜を形成する工程と、シリコン基板に形成した液滴保護膜の上であって開口させた各ノズル孔を中心としてノズル孔の対向する縁にスパッタ又は蒸着によって一対の電極を形成する工程と、液滴保護膜及び電極の上に撥液膜を形成する工程と、シリコン基板からサポート基板を剥離し、シリコン基板に形成した撥液膜をサポート基板を剥離した側から親水化処理する工程と、電極の一部を配線接続のために露出させる工程と、を有することを特徴とする。
【００１８】
これにより、複雑な製造工程を有することなく、電極を形成することができる。また、絶縁膜として機能する液滴保護膜上に電極を形成するので、シリコン基板と電極とを確実に絶縁することができる。
【図面の簡単な説明】
【００１９】
【図１】実施の形態１に係る液滴吐出ヘッドを分解した状態を示す分解斜視図である。
【図２】液滴吐出ヘッドの長手方向の断面を示す縦断面図である。
【図３】液滴吐出ヘッドを上から見た状態を示す平面図である。
【図４】ノズル孔と吐出検出用導通電極との関係を説明するための説明図である。
【図５】吐出検出の際の動作原理を模式的に示す概念図である。
【図６】ノズル基板の製造工程例の一部を示す縦断面図である。
【図７】ノズル基板の製造工程例の一部を示す縦断面図である。
【図８】ノズル基板の製造工程例の一部を示す縦断面図である。
【図９】実施の形態１の液滴吐出ヘッドを搭載した液滴吐出装置の一例を示した斜視図である。
【発明を実施するための形態】
【００２０】
以下、図面に基づいて本発明の実施の形態について説明する。
実施の形態１．
図１は、本発明の実施の形態１に係る液滴吐出ヘッド１００を分解した状態を示す分解斜視図である。図２は、液滴吐出ヘッド１００の長手方向の断面を示す縦断面図である。図３は、液滴吐出ヘッド１００を上から見た状態を示す平面図である。図１〜図３に基づいて、液滴吐出ヘッド１００の構成及び動作を説明する。なお、図１を含め、以下の図面では各構成部材の大きさの関係が実際のものとは異なる場合がある。また、図の上側を上とし、下側を下とし、ノズル孔１０が並んでいる方向を短手方向、短手方向と垂直な方向を長手方向として説明する。
【００２１】
この液滴吐出ヘッド１００は、静電気力により駆動される静電駆動方式の静電アクチュエーターの代表として、ノズル基板の表面側に設けられたノズル孔から液滴を吐出するフェイスイジェクトタイプの液滴吐出ヘッドを表している。この液滴吐出ヘッド１００は、ノズル基板１、キャビティ基板２、及び、電極基板３の３つの基板が順に積層されるように接合された３層構造となっている。つまり、液滴吐出ヘッド１００は、キャビティ基板２の一方の面（上面）にはノズル基板１が接合されており、他方の面（下面）には電極基板３が接合され、キャビティ基板２を電極基板３とノズル基板１とが上下から挟む構造となっている。
【００２２】
この液滴吐出ヘッド１００には、電極基板３上に形成された個別電極３１と、この個別電極３１に所定の駆動ギャップ３０を介して対向配置されたキャビティ基板２の振動板２３とから構成される静電アクチュエーターを備えている。この実施の形態１に係る液滴吐出ヘッド１００は、電極基板３とキャビティ基板２とを陽極接合により接合するものとし、キャビティ基板２とノズル基板１とをエポキシ樹脂等の接着剤を用いて接合するものとして説明する。また、液滴吐出ヘッド１００の電極基板３に形成する個別電極３１には、図２で示すドライバＩＣ等の電力供給手段である駆動回路４によって駆動信号（パルス電圧）が供給されるようになっている。
【００２３】
［ノズル基板１］  
ノズル基板１は、たとえば厚さ約６５μｍ（マイクロメートル）の（１１０）面方位のシリコン単結晶基板（以下、単にシリコン基板という）を主要な材料として構成されている。そして、キャビティ基板２の上面（電極基板３を接合する面の反対面）と接合している。ノズル基板１には、キャビティ（吐出室）２０のそれぞれと連通している複数のノズル孔１０が所定のピッチで貫通形成されている。各ノズル孔１０は、キャビティ２０から移送されたインク滴等の液滴を外部に吐出するようになっている。なお、ノズル基板１における液滴が吐出される面を液滴吐出面１ａとし、液滴吐出面１ａの反対側面を接着面１ｂとして説明するものとする。
【００２４】
各ノズル孔１０は、吐出方向の先端側の円筒状の第１ノズル孔１０ａと、第１ノズル孔１０ａよりも径の大きい円筒状の第２ノズル孔１０ｂとから構成され、第１ノズル孔１０ａと第２ノズル孔１０ｂとは同軸上に設けられている。かかる構成により、液滴の吐出方向をノズル孔１０の中心軸方向に揃えることができ、安定したインク吐出特性を発揮させることができる。すなわち、ノズル孔１０を複数段で形成することによって、液滴の飛翔方向のばらつきがなくなり、また液滴の飛び散りがなく、液滴の吐出量のばらつきを抑制することが可能となっている。
【００２５】
また、ノズル基板１の液滴吐出面１ａ、接着面１ｂ、及び、ノズル孔１０の内壁には、これらの面を液滴から保護する液滴保護膜１１が形成されている。さらに、液滴吐出面１ａの液滴保護膜１１上には、撥液膜（図７で示す撥液膜１０５）を形成するとよい。液滴吐出面１ａに撥液膜を形成する場合、ノズル孔１０の吐出口縁部を境界にしてノズル孔１０の内壁及び接着面１ｂには撥液膜を形成しないようにする。これにより、液滴に対する耐久性向上及び液滴吐出面１ａ上の液滴残留防止を図ることが可能になる。
【００２６】
また、ノズル基板１の液滴吐出面１ａにおける液滴保護膜１１上には、ドット抜け検出を行う際に使用する吐出検出用導通電極１２が設けられている（ドット抜け検出については図４以下で詳細に説明する）。一対の吐出検出用導通電極１２（便宜的に、紙面右側の電極を吐出検出用導通電極１２ａ、紙面左側の電極を吐出検出用導通電極１２ｂと称する）が各ノズル孔１０を中心として、各ノズル孔１０の縁に形成されている。吐出検出用導通電極１２は、各ノズル孔１０の縁から各ノズル孔１０の内壁上部に至るように形成されている。すなわち、吐出検出用導通電極１２は、ノズル孔１０から吐出される液滴に接触可能な位置に形成されているのである。
【００２７】
吐出検出用導通電極１２ａは、配線５０を介して吐出検出回路４２へと接続されるようになっている。吐出検出用導通電極１２ｂは、配線５１を介して吐出検出回路４２へと接続されるようになっている。吐出検出用導通電極１２は、耐擦性及び耐薬品性（耐アルカリ性）に優れた導電性材料（たとえばＰｔ（プラチナ）、Ａｕ（金）、Ｍｏ（モリブデン）、Ｔａ（タンタル）、これらの合金又は化合物等）で構成されている。液滴吐出面１ａは、クリーニング工程等により拭き取り作業が実行される。そのため、実施の形態１では、これらの作業に耐えうるように耐擦性の優れた導電性材料で吐出検出用導通電極１２を構成するようにしている。なお、ノズル基板１と吐出検出用導通電極１２とは、たとえばＳｉＯ2 からなる液滴保護膜１１等によって絶縁するものとする。
【００２８】
なお、ノズル孔１０から吐出させるインク等の液滴は、導電性を有した材料で構成されているものとする。また、ノズル基板１の接着面１ｂに、後述するオリフィスや振動板２３によりリザーバー２２側の液滴に加わる圧力を緩衝するダイアフラムを形成してもよい。さらに、ここでは、ノズル基板１を上面とし、電極基板３を下面として説明しているが、実際に用いられる場合には、ノズル基板１の方が電極基板３よりも下面となることが多い。
【００２９】
［キャビティ基板２］
キャビティ基板２は、たとえば厚さ約５０μｍのシリコン基板を主要な材料として構成されている。このシリコン基板にドライエッチングまたは異方性ウエットエッチングのいずれかあるいは双方を行ない、液滴の流路となる各部材（キャビティ２０、オリフィス２１、リザーバー２２等）が形成されている。キャビティ基板２の各部材の一つであるキャビティ２０は、底壁が可撓性を有する振動板２３となっており、吐出室（圧力室）として作用し、ノズル孔１０に対応する位置に独立に複数個形成されている。したがって、ノズル基板１とキャビティ基板２とを接合すると、キャビティ２０は、ノズル孔１０及びオリフィス２１を介してリザーバー２２と連通することになる。
【００３０】
キャビティ２０は、個別電極３１の電極列に対応して形成されており、液滴が保持されて吐出圧が加えられるようになっている。また、キャビティ２０は、紙面手前側から奥側にかけて平行に並んで形成されているものとする。リザーバー２２は、液滴供給口２５を介して供給される液滴を貯留し、各キャビティ２０に液滴を供給するための共通インク室として機能している。つまり、リザーバー２２は、各オリフィス２１を介して全てのキャビティ２０に連通している。
【００３１】
このリザーバー２２の底面には、リザーバー２２の底面を貫通する液滴供給口２５が形成されている。この液滴供給口２５は、電極基板３の液滴供給口３２と連通するようになっている。そして、液滴供給口２５及び液滴供給口３２を介して外部からリザーバー２２に液滴が供給されるようになっている。オリフィス２１は、細溝状に形成されており、リザーバー２２とキャビティ２０とを連通する液滴供給口として作用している。なお、オリフィス２１は、ノズル基板１の接着面１ｂに形成してもよい。
【００３２】
振動板２３は、高濃度のボロンドープ層で構成されている。所望の厚さの振動板２３を形成するために、同じだけの厚さのボロンドープ層を形成する。水酸化カリウム水溶液等のアルカリ溶液による単結晶シリコンのエッチングにおけるエッチングレートは、ドーパントがボロンの場合、約５×１０19ａｔｏｍｓ／ｃｍ3 以上の高濃度の領域において、非常に小さくなる。このため、振動板２３の部分を高濃度のボロンドープ層とし、アルカリ溶液による異方性エッチングによってキャビティ２０を形成する際に、ボロンドープ層が露出してエッチングレートが極端に小さくなる、いわゆるエッチングストップ技術を用いることにより、振動板２３の厚さ及び吐出室の容積を高精度に形成することができる。
【００３３】
キャビティ基板２の下面（電極基板３と対向する面、振動板２３の下面）には、振動板２３と個別電極３１との間を電気的に絶縁するためのＴＥＯＳ膜（ここでは、Ｔｅｔｒａｅｔｈｙｌ  ｏｒｔｈｏｓｉｌｉｃａｔｅ  Ｔｅｔｒａｅｔｈｏｘｙｓｉｌａｎｅ：テトラエトキシシラン（珪酸エチル）を用いてできるＳｉＯ2 膜をいう）である絶縁膜２４をプラズマＣＶＤ（Ｃｈｅｍｉｃａｌ  Ｖａｐｏｒ  Ｄｅｐｏｓｉｔｉｏｎ：ＴＥＯＳ−ｐＣＶＤともいう）法を用いて、たとえば０．１μｍ程の膜厚で成膜している。この絶縁膜２４は、振動板２３の駆動時における絶縁破壊及びショートを防止するためと、液滴によるキャビティ基板２のエッチングを防止するためのものである。
【００３４】
ここでは、絶縁膜２４がＴＥＯＳ膜である場合を例に説明するが、これに限定するものではなく、絶縁性能が向上する物質であればよい。たとえば、Ａｌ2Ｏ3（酸化アルミニウム（アルミナ））や酸窒化シリコン等の酸化シリコンよりも比誘電率が高い誘電材料を用いてもよい。また、プラズマＣＶＤで成膜する場合に限らず、ＡＬＤ（Ａｔｏｍｉｃ  Ｌａｙｅｒ  Ｄｅｐｏｓｉｔｉｏｎ）法やＥＣＲ（Ｅｌｅｃｔｒｏｎ  Ｃｙｃｌｏｔｒｏｎ  Ｒｅｓｏｎａｎｃｅ）スパッタ等で絶縁膜を成膜してもよい。
【００３５】
さらに、キャビティ基板２の上面にも、図示省略の液体保護膜となるＳｉＯ2 膜（ＴＥＯＳ膜を含む）を、プラズマＣＶＤ法又はスパッタリング法により成膜するとよい。このような液体保護膜を成膜することによって、インク滴で流路が腐食されるのを防止できるからである。この液体保護膜の応力と絶縁膜２４の応力とを相殺させ、振動板２３の反りを小さくできるという効果もある。また、絶縁膜２４の表面（絶縁膜２４の電極基板３側の表面）であって、個別電極３１との当接部分には、ＤＬＣ等で構成されている高潤滑硬質膜を形成するとよい。
【００３６】
また、キャビティ基板２には、外部電極端子としての共通電極２６が形成されている。この共通電極２６は、駆動回路４から図示省略のＦＰＣ（Ｆｌｅｘｉｂｌｅ  Ｐｒｉｎｔｅｄ  Ｃｉｒｃｕｉｔ）を介して振動板２３に個別電極３１と反対の極性の電荷が供給する際の端子となるものである。
【００３７】
［電極基板３］
電極基板３は、たとえば厚さ１ｍｍのホウ珪酸系の耐熱硬質ガラス等のガラスを主要な材料として形成するとよい。これは、電極基板３とキャビティ基板２とを陽極接合する際、両基板の熱膨張係数が近いため、電極基板３とキャビティ基板２との間に生じる応力を低減することができ、その結果剥離等の問題を生じることなく電極基板３とキャビティ基板２を強固に接合することができるからである。電極基板３のキャビティ基板２側表面における各振動板２３に対向する位置には、キャビティ基板２のキャビティ２０の形状に合わせた凹部（ガラス溝）３０ａが、たとえばエッチングにより深さ０．３μｍ程度で形成されている。
【００３８】
また、この凹部３０ａの内部（特に底部）には、固定電極となる個別電極３１が、たとえばスパッタ法により０．１μｍの厚さで作製されている。そして、この凹部３０ａは、その内部に個別電極３１、ＦＰＣに接続される端子部３１ｂ及び端子部３１ｂと個別電極３１とを接続する個別電極リード部３１ａ（特に区別する必要がない限り、個別電極３１は、個別電極リード部３１ａ及び端子部３１ｂを含んだものとして説明する）を装着できるように、これらの形状に類似したやや大きめの形状にパターン形成するとよい。また、凹部３０ａの深さが約０．２μｍである場合を例に示しているが、凹部３０ａ内に作製する個別電極３１の厚さに応じて、変更可能になっている。
【００３９】
個別電極３１は、たとえば酸化錫を不純物としてドープした透明のＩＴＯ（Ｉｎｄｉｕｍ  Ｔｉｎ  Ｏｘｉｄｅ：インジウム錫酸化物）を０．１μｍの厚さでスパッタして作製するとよい。このように、ＩＴＯで個別電極３１を作製すると、透明なので放電したかどうかの確認が行いやすいという利点がある。なお、個別電極３１の材料をＩＴＯに限定するものではなく、クロム等の金属材料を用いてもよい。また、電極基板３には、リザーバー２２の液滴供給口２５と連通し、外部のインクタンクから供給される液滴を取り入れる流路となる液滴供給口３２が貫通形成されている。
【００４０】
さらに、電極基板３には、ＦＰＣ実装部３５が凹部３０ａとともに形成されている。ＦＰＣ実装部３５には、端子部３１ｂが形成されている。つまり、端子部３１ｂは、配線のためにキャビティ基板２の末端部が開口された電極取り出し部２９内に露出しているのである。このＦＰＣ実装部３５に図示省略のＦＰＣを実装して、個別電極３１の一端（端子部３１ｂ）と駆動回路４とを接続するようにしている。したがって、個別電極３１には、駆動回路４からＦＰＣを介して駆動信号が供給されるようになっている。
【００４１】
電極基板３とキャビティ基板２とを陽極接合して積層体を形成すると、振動板２３と個別電極３１との間には、振動板２３を撓ませる（変位させる）ことができる一定の駆動ギャップ（空隙）３０が、電極基板３の凹部３０ａにより形成されるようになっている。この駆動ギャップ３０は、凹部３０ａの深さ、及び、個別電極３１の厚さにより決まることになる。この駆動ギャップ３０は、液滴吐出ヘッド１００の吐出特性に大きく影響するため、厳格な精度管理が要求される。駆動ギャップ３０は、各振動板２３に対向する位置に細長く所定の深さを有するように形成されている。この駆動ギャップ３０の開放端部は、内部に湿気や埃等が侵入しないようにエポキシ等の樹脂による封止部３３で気密封止される。
【００４２】
なお、ＦＰＣ実装部３５の深さが約０．３μｍである場合を例に示しているが、これに限定するものではなく、凹部３０ａの深さに応じて変更するとよい。なお、駆動ギャップ３０は、気相処理を行なった後、封止部３３で気密封止するとよい。気相処理は、駆動ギャップ３０内の水分除去を行なった後に、疎水処理をするように実行される。また、駆動ギャップ３０は、キャビティ基板２となるシリコン基板に凹部を形成したり、スペーサーを挟むことによって形成することも可能である。
【００４３】
この液滴吐出ヘッド１００は、複数の個別電極３１が長辺及び短辺を有する長方形状に形成されており、この個別電極３１が、互いの長辺が平行になるように配置されている。そして、図１では、個別電極３１の短辺方向に伸びる１つの電極列を示している。なお、個別電極３１の短辺が長辺に対して斜めに形成されており、個別電極３１が細長い平行四辺形状になっている場合には、長辺方向に直角方向に伸びる電極列を形成するようにすればよい。なお、電極基板３とキャビティ基板２とは陽極接合により、キャビティ基板２とノズル基板１とは接着剤を用いての接合または直接接合により接合することができる。
【００４４】
液滴吐出ヘッド１００の動作について簡単に説明する。
キャビティ基板２のリザーバー２２には、液滴供給口３２及び液滴供給口２５を介して外部からインク等の液滴が供給されている。また、キャビティ基板２のキャビティ２０には、オリフィス２１を介してリザーバー２２から液滴が供給されている。駆動回路４は、ＦＰＣを介して個別電極３１と接続されており、個別電極３１への電荷の供給及び停止を制御するようになっている。この駆動回路４は、たとえば２４ｋＨｚで発振し、選択された個別電極３１に０Ｖ〜３０Ｖ程度のパルス電位を印加して電荷供給を行ない、その個別電極３１を正に帯電させる。
【００４５】
このとき、共通電極２６を介してキャビティ基板２には負の極性を有する電荷が供給され、正に帯電された個別電極３１に対応する振動板２３を相対的に負に帯電させる。そのため、選択された個別電極３１と振動板２３との間では静電気力（クーロン力）が発生することになる。そうすると、振動板２３は、静電気力によって個別電極３１側に引き寄せられて撓む（変位する）ことになる。つまり、個別電極３１は、個別電極３１に引き寄せられて当接することになる。これによってキャビティ２０の容積が増大する。
【００４６】
その後、個別電極３１への電荷の供給を止めると、振動板２３と個別電極３１との間の静電気力がなくなり、振動板２３はその弾性力により元の状態に復元する。このとき、キャビティ２０の容積が急激に減少するため、キャビティ２０内部の圧力が急激に上昇する。これにより、キャビティ２０内のインクの一部がインク滴としてノズル孔１０より吐出されることになる。このインク滴が、たとえば記録紙に着弾することによって印刷等が行われるようになっている。その後、液滴がリザーバー２２からオリフィス２１を通じてキャビティ２０内に補給され、初期状態に戻る。このような方法は、引き打ちと呼ばれるものであるが、バネ等を用いて液滴を吐出する押し打ちと呼ばれる方法もある。
【００４７】
ここから、実施の形態１の特徴事項であるドット抜け検出について詳細に説明する。図４は、ノズル孔１０と吐出検出用導通電極１２との関係を説明するための説明図である。図５は、吐出検出の際の動作原理を模式的に示す概念図である。図４（ａ）が液滴吐出面１ａの一部分を示す拡大平面図を、図４（ｂ）が図４（ａ）のＡ−Ａ’断面を示す拡大断面図を、それぞれ示している。また、図５（ａ）が液滴吐出前の状態を示す模式図を、図５（ｂ）が液滴吐出時の状態を示す模式図を、それぞれ示している。なお、図５には、吐出検出用導通電極１２と吐出検出回路４２で構成される回路図を併せて図示している。
【００４８】
図４（ａ）に示すように、各ノズル孔１０の縁には、一対の吐出検出用導通電極１２がノズル孔１０を中心として形成されている。この吐出検出用導通電極１２は、ノズル孔１０の中心に向かって多少突出するように形成されている。つまり、吐出検出用導通電極１２は、液滴吐出面１ａからノズル孔１０の内壁上部に至るように形成されているのである。したがって、吐出検出用導通電極１２は、液滴が吐出される際にノズル孔１０の吐出側端部で吐出される液滴と接触可能になっている。
【００４９】
加えて、ノズル孔１０から吐出させる液滴は、導電性を有している。そのため、液滴がノズル孔１０から吐出される際に、吐出検出用導通電極１２ａと吐出検出用導通電極１２ｂとが電気的に接続されることになる。液滴吐出前には、液滴の液面が第１ノズル孔１０ａの途中にあり、吐出検出用導通電極１２ａと吐出検出用導通電極１２ｂとは電気的に接続していない（図５（ａ）に示す液滴５）。一方、液滴吐出時には、液滴の液面が第１ノズル孔１０ａの吐出側端部にまで移動し、吐出検出用導通電極１２ａと吐出検出用導通電極１２ｂとが電気的に接続する（図５（ｂ）に示す液滴５）。
【００５０】
つまり、液滴が吐出検出用導通電極１２ａと吐出検出用導通電極１２ｂとは接続するスイッチとして作用することになる（図５に併せて示す回路図参照）。この原理を利用することによって、実施の形態１では、ドット抜け検出をリアルタイムで実行可能にしている。吐出検出回路４２からは、吐出検出用導通電極１２に対して電流が供給されている。そのため、液滴吐出前の状態では、吐出検出用導通電極１２ａと吐出検出用導通電極１２ｂとの間に電流は流れない（図５（ａ））。一方、液滴吐出時の状態では、吐出検出用導通電極１２ａと吐出検出用導通電極１２ｂとの間に電流が流れる（図５（ｂ））。したがって、電流の導通の有無を検知することで、液滴吐出状況をリアルタイムにモニタリングすることができる。
【００５１】
液滴吐出ヘッド１００のドット抜け検出動作は、ノズル基板１に形成されたすべてのノズル孔１０のドット抜けを検査する動作である。したがって、液滴吐出ヘッド１００では、ノズル孔１０から液滴が吐出されたかどうか、つまりドット抜けが発生している吐出不良ノズルがあるかどうかを吐出検出用導通電極１２ａと吐出検出用導通電極１２ｂとの電気的な接続により検知することができる。また、記録紙等の被対象物の印字品質を印刷動作を中断することなく直接確認することができ、吐出不良ノズルを容易に特定できる。さらに、吐出不良ノズルを特定した場合には、別のノズル孔１０からの吐出液滴により、被対象物の品質を補完することができる。
【００５２】
なお、ドット抜け検出動作で吐出不良ノズルが発見されると、吐出不良ノズルの数や状態によって自動的に回復処理を実行するか、回復処理を実行せずにオペレーターに報知するか、回復処理や報知を行わずにそのまま印刷処理を再開するかの処置を選択するとよい。すなわち、吐出不良ノズル数や分布状態が許容できない状態であるときには、吐出不良ノズルの吐出特性を回復する回復手段による回復動作を自動的に実行し、吐出不良ノズル数や分布状態が所定の許容範囲内である場合には、回復動作を実行せずにオペレーターに報知し、吐出不良ノズル数や状態が吐出品質すなわち印刷品質への影響が小さい許容範囲以内である場合には、そのままつぎの印刷動作を開始する。
【００５３】
このときの判断基準としては、たとえば、検出された吐出不良ノズルの数が、ノズル群を構成するノズル数に対して印刷品質にほとんど影響を及ぼさない程度の少ない数である場合にはそのままつぎの印刷動作を開始することができる。また、検出された吐出不良ノズルの数が、ノズル群を構成するノズル数に対して印刷品質に無視はできないがある程度許容できそうな範囲の数である場合は、オペレーターに報知してオペレーターの判断により無視してもよい状態であれば印刷を開始し、無視できないレベルであれば回復動作を行なう。さらに、検出された吐出不良ノズルの数が、ノズル群を構成するノズル数に対して印刷品質に影響するくらい多い数である場合は、自動的に回復動作を実行する。
【００５４】
また、吐出不良ノズルの分布状態として、たとえば隣接したノズル孔１０が複数吐出不良であると検出されたような場合は、印刷品質に影響する可能性が高いので、吐出不良ノズルの数に係わらず自動的に回復動作を行なうとよい。なお、上記判断基準となる、吐出不良ノズル数等は、予め設定してＲＡＭ等の記憶手段に記憶させておくとよい。そうすれば、記憶させた設定値を用いて判断するよう制御されることになる。たとえば、１色ベタの面積が多いデザインだと吐出不良ノズルによる印刷不良が目立ちやすく、細かい柄だと多少吐出不良ノズルがあっても目立ちにくいため、印刷するデザインや記録媒体の種類等に応じてオペレーターが設定できるようにしている。
【００５５】
以上より、液滴吐出ヘッド１００は、液滴が吐出されることにより吐出検出用導通電極１２ａと吐出検出用導通電極１２ｂとが電気的に接続され、両電極間に電流が流れ、この電流値を検出することで、各ノズル孔１０のドット抜けを検出できる。したがって、液滴吐出ヘッド１００では、液滴の吐出状況をリアルタイムにモニタリングすることが可能となる。よって、吐出不良ノズルを迅速に発見することができ、被対象物の品質が悪化するのを未然に防止することができる。
【００５６】
また、吐出検出用導通電極１２を液滴吐出面１ａに設けた構造であるため、容易に製造することが可能である。また、吐出検出用導通電極１２に使用する導電性材料は、耐擦性及びインクに対する耐インク性（耐薬品性）を有する材料としたので、実用上、電圧制御しやすく、また、吐出検出用導通電極１２の耐久性を確保でき、長期間の使用に渡って信頼性を確保することができる。
【００５７】
次に、液滴吐出ヘッド１００のノズル基板１の製造工程について説明する。図６〜図８は、ノズル基板１の製造工程例の一部を示す縦断面図である。図６〜図８に基づいて、ノズル基板１の製造工程についてその特徴事項を中心に説明する。
【００５８】
（Ａ）厚み６２５μｍで導電性を有するシリコン基板１’を用意し、図示省略の熱酸化装置にセットして酸化温度１０７５℃、酸化時間４時間、酸素と水蒸気の混合雰囲気中の条件で熱酸化処理し、シリコン基板１’の表面に膜厚０．５μｍの熱酸化膜（ＳｉＯ2 膜）１０１を均一に成膜する。そして、シリコン基板１’の接着面１ｂの熱酸化膜１０１に第２ノズル孔１０ｂとなる部分１０１ａをパターニングする。
【００５９】
（Ｂ）シリコン基板１’の接着面１ｂ上に、厚さ１．０μｍのレジスト膜１０２を形成し、フォトリソグラフィにより第１ノズル孔１０ａとなる部分１０２ａをパターニングする。
（Ｃ）図示省略のＩＣＰドライエッチング装置により、レジスト膜１０２の第１ノズル孔１０ａとなる部分１０２ａを、たとえば深さ４０μｍで垂直に異方性ドライエッチングし、第１ノズル孔１０ａを形成する。この場合のエッチングガスとしては、Ｃ4 Ｆ8 、ＳＦ6 を使用し、これらのエッチングガスを交互に使用すればよい。ここで、Ｃ4 Ｆ8 は形成される溝の側面にエッチングが進行しないように溝側面を保護するために使用し、ＳＦ6 はシリコン基板１’の垂直方向のエッチングを促進させるために使用する。
【００６０】
（Ｄ）レジスト膜１０２を除去した後、ＩＣＰドライエッチング装置により熱酸化膜１０１の第２ノズル孔１０ｂとなる部分１０１ａを、深さ４０μｍで垂直に異方性ドライエッチングし、第２ノズル孔１０ｂを形成する。この際に、第１ノズル孔１０ａも深さが７０〜８０μｍ程度までエッチングされ、ノズル孔１０が完成する。
（Ｅ）シリコン基板１’の表面に残る熱酸化膜１０１を剥離した後、シリコン基板１’の液滴吐出面１ａ、接着面１ｂ及びノズル孔１０の内壁に、膜厚０．１μｍの液滴保護膜１０３をドライ酸化で形成する。
【００６１】
（Ｆ）シリコン基板１’の接着面１ｂにサポート基板１１０を貼り付け、液滴吐出面１ａ側から板厚が６５μｍになるまで薄板化する。
（Ｇ）シリコン基板１’の液滴吐出面１ａの表面に、液滴保護膜１１となる厚さ０．２μｍのシリコーン重合膜をシロキサン原料のプラズマＣＶＤで形成する。そして、空気中でＵＶを照射して脱水縮合させ、液滴保護膜１１の表面をＳｉＯ2 化する。
【００６２】
（Ｈ）シリコン基板１’の液滴吐出面１ａの表面に、図示省略のハードマスク（たとえば、シリコンマスクやメタルマスク等）を用いてスパッタ又は蒸着によって吐出検出用導通電極１２を形成する。
（Ｉ）シリコン基板１’の液滴吐出面１ａにさらに撥液処理を施す。この場合、シランカップリング材をディップコートし、液滴吐出面１ａに撥液膜１０５を形成する。このとき、第１ノズル孔１０ａ及び第２ノズル孔１０ｂの内壁にも、撥液膜１０５が形成される。
【００６３】
（Ｊ）液滴吐出面１ａに、サポートテープ１２０を貼り付け、その状態で接着面１ｂ側のサポート基板１１０を剥離する。そして、接着面１ｂ側から酸素又はアルゴンのプラズマ処理を行い、ノズル孔１０の内壁に形成された撥液膜１０５を破壊して親水化する。
（Ｋ）サポートテープ１２０を剥離する。
（Ｌ）吐出検出用導通電極１２の配線接続部分の撥液膜１０５を、レーザー照射により選択的に破壊する。
（Ｍ）そして、吐出検出用導通電極１２の配線接続部分を露出させる。
以上の製造工程により、ノズル基板１を容易に製造することができる。
【００６４】
このようにして作製したノズル基板１を用いて液滴吐出ヘッド１００を作成する際には、ノズル基板１の接着面１ｂに、キャビティ基板２の接合面を貼り合せて、ノズル基板１とキャビティ基板２の接合体を形成する。その後、ノズル基板１とキャビティ基板２からなる接合体において、キャビティ基板２の他の接合面に電極基板３の接合面を貼り付ける。以上の工程を経ることにより、ノズル基板１、キャビティ基板２及び電極基板３の接合体を形成し、液滴吐出ヘッド１００を完成する。
【００６５】
実施の形態２．
図９は、実施の形態１で作製した液滴吐出ヘッド１００を搭載した液滴吐出装置１５０の一例を示した斜視図である。図１０に示す液滴吐出装置１５０は、一般的なインクジェットプリンターである。なお、この液滴吐出装置１５０は、周知の製造方法によって製造することができる。なお、液滴吐出ヘッド１００は、図１０に示す液滴吐出装置１５０の他に、液滴を種々変更することで、液晶ディスプレイのカラーフィルタの製造、有機ＥＬ表示装置の発光部分の形成、生体液体の吐出等にも適用することができる。また、配線基板をインクジェット法により作成するプリント配線基板製造装置の液滴吐出装置としても適用することができる。
【００６６】
また、液滴吐出ヘッド１００は、圧電駆動方式の液滴吐出装置や、バブルジェット（登録商標）方式の液滴吐出装置にも使用できる。たとえば、液滴吐出ヘッド１００をディスペンサとし、生体分子のマイクロアレイとなる基板に吐出する用途に用いる場合では、ＤＮＡ（Ｄｅｏｘｙｒｉｂｏ  Ｎｕｃｌｅｉｃ  Ａｃｉｄｓ：デオキシリボ核酸）、他の核酸（例えば、Ｒｉｂｏ  Ｎｕｃｌｅｉｃ  Ａｃｉｄ：リボ核酸、Ｐｅｐｔｉｄｅ  Ｎｕｃｌｅｉｃ  Ａｃｉｄｓ：ペプチド核酸等）タンパク質等のプローブを含む液体を吐出させるようにしてもよい。
【００６７】
液滴吐出ヘッド１００に搭載されている静電アクチュエーターは、たとえば光通信や光演算、光記憶装置、光プリンター、映像表示装置等に用いられている光スイッチ、ミラーデバイス、レーザプリンターのレーザ操作ミラーの駆動部、その他の微細加工の素子（デバイス）、あるいは装置等にも適用することも可能である。いずれに適用される場合であっても、液滴帯電方式の吐出不良ノズル検出方法に対応することが可能である。
【００６８】
なお、本発明の実施の形態に係る液滴吐出ヘッド、液滴吐出装置、及び、液滴吐出ヘッドの製造方法は、上述の実施の形態で説明した内容に限定されるものではなく、本発明の思想の範囲内において変更することができる。また、実施の形態１に係る液滴吐出ヘッド１００が電極基板３、キャビティ基板２及びノズル基板１からなる３層構造である場合を例に説明したが、ガラス基板、キャビティ基板、リザーバー基板及びノズルプレートからなる４層構造であってもよい。  
【符号の説明】
【００６９】
１  ノズル基板、１’  シリコン基板、１ａ  液滴吐出面、１ｂ  接着面、２  キャビティ基板、３  電極基板、４  駆動回路、５  液滴、１０  ノズル孔、１０ａ  第１ノズル孔、１０ｂ  第２ノズル孔、１１  液滴保護膜、１２  吐出検出用導通電極、１２ａ  吐出検出用導通電極、１２ｂ  吐出検出用導通電極、２０  キャビティ、２１  オリフィス、２２  リザーバー、２３  振動板、２４  絶縁膜、２５  液滴供給口、２６  共通電極、２９  電極取り出し部、３０  駆動ギャップ、３０ａ  凹部、３１  個別電極、３１ａ  個別電極リード部、３１ｂ  端子部、３２  液滴供給口、３３  封止部、３５  ＦＰＣ実装部、４２  吐出検出回路、５０  配線、５１  配線、１００  液滴吐出ヘッド、１０１  熱酸化膜、１０１ａ  第２ノズル孔となる部分、１０２  レジスト膜、１０２ａ  第１ノズル孔となる部分、１０３  液滴保護膜、１０５  撥液膜、１１０  サポート基板、１２０  サポートテープ、１５０  液滴吐出装置。
【図１】
2010240853.tif 000003
【図２】
2010240853.tif 000004
【図３】
2010240853.tif 000005
【図４】
2010240853.tif 000006
【図５】
2010240853.tif 000007
【図６】
2010240853.tif 000008
【図７】
2010240853.tif 000009
【図８】
2010240853.tif 000010
【図９】
2010240853.tif 000011